【誤訳訂正書】
【提出日】令和2年9月15日(2020.9.15)
【誤訳訂正１】
【訂正対象書類名】明細書
【訂正対象項目名】００４３
【訂正方法】変更
【訂正の内容】
【００４３】
図４を参照すると、通信システムのスペック（specification）からＵＥは、ＣＳＩプロセスセット１（４１０）のうちいずれか一つの非周期的ＣＳＩ報告モードで第１非周期的ＣＳＩが報告されることができ、ＣＳＩプロセスセット２（４２０）のうちいずれか一つの非周期的ＣＳＩ報告モードで第２非周期的ＣＳＩが報告されることができることが分かる。各々のアクティブＤＬセルにおいて、ＵＥはＣＳＩプロセスセット１に対して第１非周期的ＣＳＩ報告モードを設定する第１上位階層シグナリングを受信する（４３０）。また、ＵＥはＣＳＩプロセスセット２に対して第２非周期的ＣＳＩ報告モードを設定する第２上位階層シグナリングを受信する（４４０）。本例示的な実施形態に従って、ＣＳＩプロセスセット２に対する第２非周期的ＣＳＩ報告モードの明示的な上位階層シグナリングを有する代わりに、このモードは予め決定された方式によりＣＳＩプロセスセット１に対する第１非周期的ＣＳＩ報告モードにリンクできる。この場合、単一の上位階層シグナリングのみがＣＳＩプロセスセット１に対する第１非周期的ＣＳＩ報告モードを設定するために、ＵＥに提供できる。例えば、ＣＳＩプロセスセット１に対する第１非周期的ＣＳＩ報告モードが空間マルチプレキシングを使用する物理的ＤＬ共有チャンネル（Physical DL Shared CHannel；ＰＤＳＣＨ）送信に対応する場合、ＣＳＩプロセスにセット２に対する各々の第１非周期的ＣＳＩモードは同一なＰＤＳＣＨ送信モード（Transmission Mode；ＴＭ）に対応するように内在的に選択されることができ、追加の上位階層シグナリングを必要としない。
【誤訳訂正２】
【訂正対象書類名】特許請求の範囲
【訂正対象項目名】全文
【訂正方法】変更
【訂正の内容】
【特許請求の範囲】
【請求項１】
無線通信システムにおける通信方法であって、
ユーザ端末（ＵＥ）により、複数のチャンネル状態情報（ＣＳＩ）報告モードのための構成情報を受信するステップと、
前記ＵＥにより、ＣＳＩ報告に対する指示子を含むダウンリンク制御情報（ＤＣＩ）を受信するステップと、
前記ＵＥにより、前記指示子と前記構成情報に基づいてＣＳＩを生成するステップと、
前記ＵＥにより、物理的アップリンク共有チャンネル（ＰＵＳＣＨ）で前記生成されたＣＳＩを送信するステップと、を含み、
前記複数のＣＳＩ報告モードは、第１のＣＳＩ報告モードセットと第２のＣＳＩ報告モードセットを含み、前記第１のＣＳＩ報告モードセットは、サービングセルから受信された第１の基準信号に基づいて測定された第１のＣＳＩに関連付けられ、前記第２のＣＳＩ報告モードセットは、前記サービングセルから受信された第２の基準信号に基づいて測定された第２のＣＳＩに関連付けられ、
統合多重ポイント（ＣｏＭＰ）をサポートするために前記サービングセルにより使用される前記第１のＣＳＩ報告モードセットまたは前記第２のＣＳＩ報告モードセットに対して生成されたＣＳＩを報告し、
前記指示子は２ビットの値を有し、
前記指示子により指示される解析は：値‘００’により指示される、非周期的ＣＳＩ報告しない；値‘０１’により指示される、ＰＤＣＣＨに関連するセルに対する非周期的ＣＳＩ報告；値‘１０’により指示される、上位階層により設定された前記第１のＣＳＩ報告モードセットに対する複数の非周期的ＣＳＩ報告；及び値‘１１’により指示される、
上位階層により設定された前記第２のＣＳＩ報告モードセットに対する複数の非周期的ＣＳＩ報告を含み、
第１の上位階層シグナリングにより前記ＤＣＩに含まれた指示子の値‘１０’に対応する前記第１のＣＳＩ報告モードセットのうち一つの報告モードが構成され、第２の上位階層シグナリングにより、前記ＤＣＩに含まれた指示子の値‘１１’に対応する前記第２のＣＳＩ報告モードセットのうち一つの報告モードが構成され、
前記ＤＣＩに含まれた指示子の値に基づいて、上位階層シグナリングによって構成された２つのモードのうちの一つが選択されることを特徴とする通信方法。
【請求項２】
複数のチャンネル状態情報（ＣＳＩ）報告モードのための構成情報を受信し、ＣＳＩ報告に対する指示子を含むダウンリンク制御情報（ＤＣＩ）を受信する受信器と、
前記指示子と前記構成情報に基づいてＣＳＩを生成し、物理的アップリンク共有チャンネル（ＰＵＳＣＨ）で前記生成されたＣＳＩを送信する送信器と、を含み、
前記複数のＣＳＩ報告モードは、第１のＣＳＩ報告モードセットと第２のＣＳＩ報告モードセットを含み、前記第１のＣＳＩ報告モードセットは、サービングセルから受信された第１の基準信号に基づいて測定された第１のＣＳＩに関連付けられ、前記第２のＣＳＩ報告モードセットは、前記サービングセルから受信された第２の基準信号に基づいて測定された第２のＣＳＩに関連づけられ、
統合多重ポイント（ＣｏＭＰ）をサポートするために前記サービングセルにより使用される前記第１のＣＳＩ報告モードセットまたは前記第２のＣＳＩ報告モードセットに対して前記生成されたＣＳＩが報告され、
指示子は２ビットの値を有し、
前記指示子により指示される解析は：値‘００’により指示される、非周期的ＣＳＩ報告しない；値‘０１’により指示される、ＰＤＣＣＨに関連するセルに対する非周期的ＣＳＩ報告；値‘１０’により指示される、上位階層により設定された前記第１のＣＳＩ報告モードセットに対する複数の非周期的ＣＳＩ報告；及び値‘１１’により指示される、
上位階層により設定された前記第２のＣＳＩ報告モードセットに対する複数の非周期的ＣＳＩ報告を含み、
第１の上位階層シグナリングにより、前記ＤＣＩに含まれた指示子の値‘１０’に対応する前記第１のＣＳＩ報告モードセットのうち一つの報告モードが構成され、第２の上位階層シグナリングにより、前記ＤＣＩに含まれた指示子の値‘１１’に対応する前記第２のＣＳＩ報告モードセットのうち一つの報告モードが構成され、
前記ＤＣＩに含まれた指示子の値に基づいて、上位階層シグナリングによって構成された２つのモードのうちの一つが選択されることを特徴とするユーザ端末（ＵＥ）装置。
【請求項３】
通信システムにおいて、ユーザ端末（ＵＥ）により、非周期的チャンネル状態情報（ＣＳＩ）を報告する方法であって、
ＣＳＩ要求フィールドを含むダウンリンク制御情報（ＤＣＩ）を受信するステップと、
複数のＣＳＩ報告モードのうち選択された一つのＣＳＩ報告モードを前記ＣＳＩ要求フィールドの指示子によりトリガーするステップと、
前記トリガーされたＣＳＩ報告モードに対応する送信モードに基づいて非周期的ＣＳＩを送信するステップと、を有し、
前記複数のＣＳＩ報告モードは、第１のＣＳＩ報告モードセットと第２のＣＳＩ報告モードセットを含み、前記第１のＣＳＩ報告モードセットは、サービングセルから受信された第１の基準信号に基づいて測定された第１のＣＳＩに関連付けられ、前記第２のＣＳＩ報告モードセットは、前記サービングセルから受信された第２の基準信号に基づいて測定された第２のＣＳＩに関連づけられ、
統合多重ポイント（ＣｏＭＰ）をサポートするために前記サービングセルにより使用される前記第１のＣＳＩ報告モードセットまたは前記第２のＣＳＩ報告モードセットに対して前記非周期的ＣＳＩが報告され、
前記指示子は２ビットの値を有し、
前記指示子により指示される解析は：値‘００’により指示される、非周期的ＣＳＩ報告しない；値‘０１’により指示される、ＰＤＣＣＨに関連するセルに対する非周期的ＣＳＩ報告；値‘１０’により指示される、上位階層により設定された前記第１のＣＳＩ報告モードセットに対する複数の非周期的ＣＳＩ報告；及び値‘１１’により指示される、
上位階層により設定された前記第２のＣＳＩ報告モードセットに対する複数の非周期的ＣＳＩ報告を含み、
第１の上位階層シグナリングにより、前記ＤＣＩに含まれた指示子の値‘１０’に対応する前記第１のＣＳＩ報告モードセットのうち一つの報告モードが構成され、第２の上位階層シグナリングにより、前記ＤＣＩに含まれた指示子の値‘１１’に対応する前記第２のＣＳＩ報告モードセットのうち一つの報告モードが構成され、
前記ＤＣＩに含まれた指示子の値に基づいて、上位階層シグナリングによって構成された２つのモードのうちの一つが選択されることを特徴とする報告方法。
【請求項４】
非周期的チャンネル状態情報（ＣＳＩ）を報告するユーザ端末（ＵＥ）装置であって、
ＣＳＩ要求フィールドを含むダウンリンク制御情報（ＤＣＩ）を受信する受信部と、
複数のＣＳＩ報告モードのうち選択された一つのＣＳＩ報告モードを前記ＣＳＩ要求フィールドの指示子によりトリガーするトリガーと、
前記トリガーされたＣＳＩ報告モードに対応する送信モードに基づいて非周期的ＣＳＩを送信する送信部と、を含み、
前記複数のＣＳＩ報告モードは、第１のＣＳＩ報告モードセットと第２のＣＳＩ報告モードセットを含み、前記第１のＣＳＩ報告モードセットは、サービングセルから受信された第１の基準信号に基づいて測定された第１のＣＳＩに関連付けられ、前記第２のＣＳＩ報告モードセットは、前記サービングセルから受信された第２の基準信号に基づいて測定された第２のＣＳＩに関連づけられ、
前記ＣＳＩは、統合多重ポイント（ＣｏＭＰ）をサポートするために前記サービングセルにより使用される、前記第１のＣＳＩ報告モードセットまたは前記第２のＣＳＩ報告モードセットに対して前記非周期的ＣＳＩが報告され、
前記指示子は２ビットの値を有し、
前記指示子により指示される解析は：値‘００’により指示される、非周期的ＣＳＩ報告しない；値‘０１’により指示される、ＰＤＣＣＨに関連するセルに対する非周期的ＣＳＩ報告；値‘１０’により指示される、上位階層により設定された前記第１のＣＳＩ報告モードセットに対する複数の非周期的ＣＳＩ報告；及び値‘１１’により指示される、
上位階層により設定された前記第２のＣＳＩ報告モードセットに対する複数の非周期的ＣＳＩ報告を含み、
第１の上位階層シグナリングにより、前記ＤＣＩに含まれた指示子の値‘１０’に対応する前記第１のＣＳＩ報告モードセットのうち一つの報告モードが構成され、第２の上位階層シグナリングにより、前記ＤＣＩに含まれた指示子の値‘１１’に対応する前記第２のＣＳＩ報告モードセットのうち一つの報告モードが構成され、
前記ＤＣＩに含まれた指示子の値に基づいて、上位階層シグナリングによって構成された２つのモードのうちの一つが選択されることを特徴とするＵＥ装置。
【請求項５】
無線通信システムにおける通信方法であって、
複数のチャンネル状態情報（ＣＳＩ）報告モードのための構成情報を送信するステップと、
ＣＳＩ報告のための指示子を含むダウンリンク制御情報（ＤＣＩ）を送信するステップと、
物理的ＵＬ共有チャンネル（Physical UL Shared CHannel；ＰＵＳＣＨ）で前記指示子と前記構成情報に基づいて生成されたＣＳＩをユーザ端末から受信するステップと、を含み、
前記複数のＣＳＩ報告モードは、第１のＣＳＩ報告モードセットと第２のＣＳＩ報告モードセットを含み、前記第１のＣＳＩ報告モードセットは、サービングセルから受信された第１の基準信号に基づいて測定された第１のＣＳＩに関連付けられ、前記第２のＣＳＩ報告モードセットは、前記サービングセルから受信された第２の基準信号に基づいて測定された第２のＣＳＩに関連付けられ、
前記ＣＳＩは、統合多重ポイント（ＣｏＭＰ）をサポートするために前記サービングセルにより使用される、前記第１のＣＳＩ報告モードセットまたは前記第２のＣＳＩ報告モードセットに対して前記生成されたＣＳＩが受信され、
前記指示子は２ビットの値を有し、
前記指示子により指示される解析は：値‘００’により指示される、非周期的ＣＳＩ報告しない；値‘０１’により指示される、ＰＤＣＣＨに関連するセルに対する非周期的ＣＳＩ報告；値‘１０’により指示される、上位階層により設定された前記第１のＣＳＩ報告モードセットに対する複数の非周期的ＣＳＩ報告；及び値‘１１’により指示される、
上位階層により設定された前記第２のＣＳＩ報告モードセットに対する複数の非周期的ＣＳＩ報告を含み、
第１の上位階層シグナリングにより、前記ＤＣＩに含まれた指示子の値‘１０’に対応する前記第１のＣＳＩ報告モードセットのうち一つの報告モードが構成され、第２の上位階層シグナリングにより、前記ＤＣＩに含まれた指示子の値‘１１’に対応する前記第２のＣＳＩ報告モードセットのうち一つの報告モードが構成され、
前記ＤＣＩに含まれた指示子の値に基づいて、上位階層シグナリングによって構成された２つのモードのうちの一つが選択されることを特徴とする通信方法。
【請求項６】
基地局であって、
複数のチャンネル状態情報（ＣＳＩ）報告モードのための構成情報を送信し、ＣＳＩ報告のための指示子を含むダウンリンク制御情報（ＤＣＩ）を送信する送信器と、
物理的ＵＬ共有チャンネル（Physical UL Shared CHannel；ＰＵＳＣＨ）で前記指示子と前記構成情報に基づいて生成されたＣＳＩをユーザ端末から受信する受信器と、を含み、
前記複数のＣＳＩ報告モードは、第１のＣＳＩ報告モードセットと第２のＣＳＩ報告モードセットを含み、前記第１のＣＳＩ報告モードセットは、サービングセルから受信された第１の基準信号に基づいて測定された第１のＣＳＩに関連付けられ、前記第２のＣＳＩ報告モードセットは、前記サービングセルから受信された第２の基準信号に基づいて測定された第２のＣＳＩに関連付けられ、
前記ＣＳＩは、統合多重ポイント（ＣｏＭＰ）をサポートするために前記サービングセルにより使用される、前記第１のＣＳＩ報告モードセットまたは前記第２のＣＳＩ報告モードセットに対して前記生成されたＣＳＩが受信され、
前記指示子は２ビットの値を有し、
前記指示子により指示される解析は：値‘００’により指示される、非周期的ＣＳＩ報告しない；値‘０１’により指示される、ＰＤＣＣＨに関連するセルに対する非周期的ＣＳＩ報告；値‘１０’により指示される、上位階層により設定された前記第１のＣＳＩ報告モードセットに対する複数の非周期的ＣＳＩ報告；及び値‘１１’により指示される、
上位階層により設定された前記第２のＣＳＩ報告モードセットに対する複数の非周期的ＣＳＩ報告を含み、
第１の上位階層シグナリングにより、前記ＤＣＩに含まれた指示子の値‘１０’に対応する前記第１のＣＳＩ報告モードセットのうち一つの報告モードが構成され、第２の上位階層シグナリングにより、前記ＤＣＩに含まれた指示子の値‘１１’に対応する前記第２のＣＳＩ報告モードセットのうち一つの報告モードが構成され、
前記ＤＣＩに含まれた指示子の値に基づいて、上位階層シグナリングによって構成された２つのモードのうちの一つが選択されることを特徴とする基地局。